【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
データ・シーケンスの第１のＡＶＣ符号化にアクセスするステップと、
前記第１のＡＶＣ符号化とは品質が異なる前記データ・シーケンスの第２のＡＶＣ符号化にアクセスするステップと、
前記第１のＡＶＣ符号化が第３のＡＶＣ符号化の少なくとも第１のレイヤを占め、前記第２のＡＶＣ符号化が前記第３のＡＶＣ符号化の少なくとも第２のレイヤを占めるように、前記第１のＡＶＣ符号化と前記第２のＡＶＣ符号化とをマージしてＡＶＣのＳＶＣ拡張を使用する前記第３のＡＶＣ符号化にする、マージするステップであって、前記第１のレイヤまたは前記第２のレイヤの少なくとも一方が、前記第１のレイヤまたは前記第２のレイヤの他方の参照レイヤである、ステップと、
を含む、方法。
【請求項２】
前記第１のＡＶＣ符号化または前記第２のＡＶＣ符号化の一方のブロックが、前記第１のＡＶＣ符号化または前記第２のＡＶＣ符号化の他方のブロックを符号化するための参照ブロックとなる、請求項１に記載の方法。
【請求項３】
マージするステップが、前記第１のＡＶＣ符号化のシンタックスを解析するステップを含む、請求項１に記載の方法。
【請求項４】
マージするステップが、前記解析されたシンタックスに対応する前記第１のＡＶＣ符号化のマクロブロックを再構築することなく、前記解析されたシンタックスに基づいて所与のマクロブロックのエンハンスメント・レイヤ符号化を実行するステップをさらに含む、請求項３に記載の方法。
【請求項５】
前記エンハンスメント・レイヤ符号化が、前記第１のＡＶＣ符号化に対して実行され、
前記所与のマクロブロックの前記エンハンスメント・レイヤ符号化で、前記所与のマクロブロックを再構築せずに、前記所与のマクロブロックの前記第１のＡＶＣ符号化の符号化モードを使用する、請求項４に記載の方法。
【請求項６】
前記エンハンスメント・レイヤ符号化が、前記第１のＡＶＣ符号化をベース・レイヤとして使用して前記第２のＡＶＣ符号化に対して実行され、
前記所与のマクロブロックの前記エンハンスメント・レイヤ符号化で、前記所与のマクロブロックを再構築せずに、前記所与のマクロブロックと同じ位置にあるマクロブロックの前記第１のＡＶＣ符号化からの動き情報を使用する、請求項４に記載の方法。
【請求項７】
マージするステップが、前記第２のＡＶＣ符号化のシンタックスを解析するステップをさらに含む、請求項３に記載の方法。
【請求項８】
前記エンハンスメント・レイヤ符号化が、前記第１のＡＶＣ符号化をベース・レイヤとして使用して前記第２のＡＶＣ符号化に対して実行され、
前記所与のマクロブロックの前記エンハンスメント・レイヤ符号化で、前記所与のマクロブロックを再構築せずに、前記所与のマクロブロックの前記第２のＡＶＣ符号化の符号化モードを使用する、請求項７に記載の方法。
【請求項９】
マージするステップが、
前記第３のＡＶＣ符号化に、前記第１のＡＶＣ符号化の少なくとも一部分によって占められるベース・レイヤを形成するステップと、
前記第３のＡＶＣ符号化に、前記第２のＡＶＣ符号化の少なくとも一部分によって占められるエンハンスメント・レイヤを形成するステップと、
を含み、前記エンハンスメント・レイヤを形成するステップが、前記所与のマクロブロックの動き補償を実行することなく、前記ベース・レイヤ中の同じ位置にあるマクロブロックからの動き情報を使用して前記第２のＡＶＣ符号化の所与のマクロブロックを符号化するステップを含む、請求項１に記載の方法。
【請求項１０】
マージするステップが、
前記第３のＡＶＣ符号化にベース・レイヤを形成するステップと、
前記第３のＡＶＣ符号化に、前記第１のＡＶＣ符号化の少なくとも一部分によって占められるエンハンスメント・レイヤを形成するステップと、
を含み、前記エンハンスメント・レイヤを形成するステップが、前記第１のＡＶＣ符号化の前記一部分の所与のマクロブロックを符号化してエンハンスメント・レイヤ残差を生成するステップと、前記ベース・レイヤ中の同じ位置にあるマクロブロックの符号化の残差に基づく予測子を使用することによって、前記エンハンスメント・レイヤ残差の残差再符号化を実行するステップと、
を含む、請求項１に記載の方法。
【請求項１１】
残差再符号化を実行するステップが、
ＤＣＴ係数から前記ベース・レイヤ残差を再構築するステップと、
必要に応じて、前記再構築されたベース・レイヤ残差を前記エンハンスメント・レイヤの解像度までアップサンプリングして前記予測子を生成するステップと、
を含む、請求項１０に記載の方法。
【請求項１２】
マージするステップが、
前記第１のＡＶＣ符号化の少なくとも一部分を前記第３のＡＶＣ符号化のベース・レイヤとして使用するステップと、
前記第１のＡＶＣ符号化のシンタックスを解析するステップと、
前記第２のＡＶＣ符号化のシンタックスを解析するステップと、
前記第１のＡＶＣ符号化の前記解析されたシンタックスおよび前記第２のＡＶＣ符号化の前記解析されたシンタックスを使用して、前記第３のＡＶＣ符号化のエンハンスメント・レイヤとして前記第２のＡＶＣ符号化の少なくとも一部分を符号化するステップと、
を含む、請求項１に記載の方法。
【請求項１３】
マージするステップが、
前記第２のＡＶＣ符号化の前記一部分の所与のマクロブロックの前記解析されたシンタックスを評価するステップと、
前記第１のＡＶＣ符号化の前記一部分の同じ位置にあるマクロブロックの前記解析されたシンタックスを評価するステップと、
前記所与のマクロブロックの元の符号化モードと前記同じ位置にあるマクロブロックの元の符号化モードとがイントラ符号化モードである場合には、前記同じ位置にあるマクロブロックを再構築したものを前記所与のマクロブロックの参照として使用するステップと、
前記所与のマクロブロックの前記元の符号化モードと前記同じ位置にあるマクロブロックの前記元の符号化モードとがインター符号化モードである場合には、前記同じ位置にあるマクロブロックからの動き情報を使用して前記所与のマクロブロックを符号化するステップと、
前記所与のマクロブロックの前記元の符号化モードと前記同じ位置にあるマクロブロックの前記元の符号化モードとの両方がイントラ符号化モードではない、またはインター符号化モードではない場合には、前記所与のマクロブロックの符号化モードを使用して前記所与のマクロブロックを符号化するステップと、
をさらに含む、請求項１２に記載の方法。
【請求項１４】
マージするステップが、前記所与のマクロブロックの符号化によって生じるエンハンスメント・レイヤ残差の残差再符号化を実行するステップをさらに含む、請求項１３に記載の方法。
【請求項１５】
マージするステップが、
前記第１のＡＶＣ符号化の少なくとも一部分を前記第３のＡＶＣ符号化のベース・レイヤとして使用するステップと、
前記第２のＡＶＣ符号化の少なくとも一部分を前記第３のＡＶＣ符号化のエンハンスメント・レイヤとして使用するステップと、
前記第２のＡＶＣ符号化の前記一部分の所与のマクロブロックについて、前記ベース・レイヤを参照として使用する１つまたは複数の符号化モードの符号化コストを決定するステップと、
前記評価に基づいて、前記１つまたは複数の符号化モードから、前記所与のマクロブロックの符号化に使用する符号化モードを選択するステップと、
を含む、請求項１に記載の方法。
【請求項１６】
前記選択するステップが、前記１つまたは複数の符号化モードから、決定された符号化コストが最低である符号化モードを選択するステップを含む、請求項１５に記載の方法。
【請求項１７】
マージするステップが、前記選択された符号化モードを使用して前記所与のマクロブロックを再符号化するステップをさらに含む、請求項１５に記載の方法。
【請求項１８】
マージするステップが、
前記第１のＡＶＣ符号化の少なくとも一部分を前記第３のＡＶＣ符号化のベース・レイヤとして使用するステップと、
前記第２のＡＶＣ符号化の少なくとも一部分を前記第３のＡＶＣ符号化のエンハンスメント・レイヤとして使用するステップと、
前記第２のＡＶＣ符号化の少なくとも前記一部分を完全に復号して、ピクセル領域データ・シーケンスにするステップと、
前記第１のＡＶＣ符号化の少なくとも前記一部分のシンタックスを解析するステップと、
前記ピクセル領域データ・シーケンスおよび前記解析したシンタックスをＳＶＣエンハンスメント・レイヤ・エンコーダに提供して、前記エンハンスメント・レイヤを生成するステップと、
を含む、請求項１に記載の方法。
【請求項１９】
マージするステップが、
前記第１のＡＶＣ符号化の少なくとも一部分を前記第３のＡＶＣ符号化のベース・レイヤとして使用するステップと、
前記第１のＡＶＣ符号化の少なくとも前記一部分を、ＳＶＣビットストリームの参照レイヤの要件に一致するように再符号化するステップと、
を含む、請求項１に記載の方法。
【請求項２０】
前記第１のＡＶＣ符号化または前記第２のＡＶＣ符号化の１つまたは複数が、少なくともベース・レイヤおよび第１のエンハンスメント・レイヤを有するＳＶＣ符号化である、請求項１に記載の方法。
【請求項２１】
マージするステップが、
前記第１のＡＶＣ符号化を復号するステップと、
前記復号した第１のＡＶＣ符号化を再符号化するステップと、
前記第１のレイヤを、前記再符号化した第１のＡＶＣ符号化で占めるステップと、
を含み、前記第１のＡＶＣ符号化が、前記再符号化した第１のＡＶＣ符号化の形態で前記第１のレイヤを占める、請求項１に記載の方法。
【請求項２２】
前記第１のレイヤまたは前記第２のレイヤの少なくとも一方を前記第１のレイヤまたは前記第２のレイヤの他方の参照レイヤとして使用することによって、前記第１のレイヤと前記第２のレイヤの間の少なくとも一部の相関を活用する、請求項１に記載の方法。
【請求項２３】
データ・シーケンスの第１のＡＶＣ符号化にアクセスする手段と、
前記第１のＡＶＣ符号化とは品質が異なる前記データ・シーケンスの第２のＡＶＣ符号化にアクセスする手段と、
前記第１のＡＶＣ符号化が第３のＡＶＣ符号化の少なくとも第１のレイヤを占め、前記第２のＡＶＣ符号化が前記第３のＡＶＣ符号化の少なくとも第２のレイヤを占めるように、前記第１のＡＶＣ符号化と前記第２のＡＶＣ符号化とをマージしてＡＶＣのＳＶＣ拡張を使用する前記第３のＡＶＣ符号化にする手段であって、前記第１のレイヤまたは前記第２のレイヤの少なくとも一方が、前記第１のレイヤまたは前記第２のレイヤの他方の参照レイヤである、手段と、
を含む、装置。
【請求項２４】
少なくとも、
データ・シーケンスの第１のＡＶＣ符号化にアクセスするステップ、
前記第１のＡＶＣ符号化とは品質が異なる前記データ・シーケンスの第２のＡＶＣ符号化にアクセスするステップ、および
前記第１のＡＶＣ符号化が第３のＡＶＣ符号化の少なくとも第１のレイヤを占め、前記第２のＡＶＣ符号化が前記第３のＡＶＣ符号化の少なくとも第２のレイヤを占めるように、前記第１のＡＶＣ符号化と前記第２のＡＶＣ符号化とをマージしてＡＶＣのＳＶＣ拡張を使用する前記第３のＡＶＣ符号化にするステップであって、前記第１のレイヤまたは前記第２のレイヤの少なくとも一方が、前記第１のレイヤまたは前記第２のレイヤの他方の参照レイヤである、ステップ
を実行するように構成されたトランスコーダ。
【請求項２５】
前記第１のＡＶＣ符号化にアクセスするステップ、
前記第２のＡＶＣ符号化にアクセスするステップ、および
前記第１のＡＶＣ符号化と前記第２のＡＶＣ符号化とをマージして前記第３のＡＶＣ符号化にするステップ
を実行するように集合的に構成された１つまたは複数のプロセッサまたはエンコーダを含む、請求項２４に記載のトランスコーダ。
【請求項２６】
少なくとも、
データ・シーケンスの第１のＡＶＣ符号化にアクセスするステップ、
前記第１のＡＶＣ符号化とは品質が異なる前記データ・シーケンスの第２のＡＶＣ符号化にアクセスするステップ、および
前記第１のＡＶＣ符号化が第３のＡＶＣ符号化の少なくとも第１のレイヤを占め、前記第２のＡＶＣ符号化が前記第３のＡＶＣ符号化の少なくとも第２のレイヤを占めるように、前記第１のＡＶＣ符号化と前記第２のＡＶＣ符号化とをマージしてＡＶＣのＳＶＣ拡張を使用する前記第３のＡＶＣ符号化にするステップであって、前記第１のレイヤまたは前記第２のレイヤの少なくとも一方が、前記第１のレイヤまたは前記第２のレイヤの他方の参照レイヤである、ステップ
を１つまたは複数のプロセッサに集合的に実行させる命令を保存したプロセッサ可読媒体。
【請求項２７】
データ・シーケンスの第１のＡＶＣ符号化を含む信号を受信するように構成された受信器と、
少なくとも、
前記データ・シーケンスの前記第１のＡＶＣ符号化にアクセスするステップ、
前記第１のＡＶＣ符号化とは品質が異なる前記データ・シーケンスの第２のＡＶＣ符号化にアクセスするステップ、および
前記第１のＡＶＣ符号化が第３のＡＶＣ符号化の少なくとも第１のレイヤを占め、前記第２のＡＶＣ符号化が前記第３のＡＶＣ符号化の少なくとも第２のレイヤを占めるように、前記第１のＡＶＣ符号化と前記第２のＡＶＣ符号化をマージしてＡＶＣのＳＶＣ拡張を使用する前記第３のＡＶＣ符号化にするステップであって、前記第１のレイヤまたは前記第２のレイヤの少なくとも一方が、前記第１のレイヤまたは前記第２のレイヤの他方の参照レイヤである、ステップ
を実行するように構成されたトランスコーダと、
を含む、装置。
【請求項２８】
前記トランスコーダに接続された、前記第３のＡＶＣ符号化を保存する保存デバイスをさらに含む、請求項２７に記載の装置。